(57)【要約】      （修正有）【課題】シャッターの開位置における揺れを抑制し、製品性能の安定性を向上させて乱流を防止する。【解決手段】換気扇のアダプター構造１００は、楕円形の金属アダプター２００と、金属アダプター２００の内部に取り付けられ、金属アダプター２００の形状にフィットした楕円形のシャッター３００とを含み、前記楕円形のシャッター３００の縦方向断面の水平方向における対称軸は長軸であり、垂直方向における対称軸は短軸であり、シャッター３００は回転軸２３０により金属アダプター２００内において回動し、回転軸２３０の中心線の短軸における投影点と、シャッター３００の尾部３６０との間には湾曲点が設けられ、前記シャッター３００が湾曲点から短軸に沿ってシャッター３００の内表面側に向って湾曲して湾曲部３９０を形成する。【選択図】図３
2014137218.tif 000002
【特許請求の範囲】
【請求項１】
楕円形の金属アダプターと、金属アダプターの内部に取り付けられ、金属アダプターの形状にフィットした楕円形のシャッターとを含み、前記楕円形のシャッターの縦方向断面の水平方向における対称軸が長軸であり、垂直方向における対称軸が短軸であり、シャッターが回転軸により金属アダプター内において回動する換気扇のアダプター構造であって、
回転軸の中心線の短軸における投影点とシャッターの尾部との間には湾曲点が設けられ、前記シャッターが湾曲点から短軸に沿ってシャッターの内表面側に向って湾曲して湾曲部を形成することを特徴とする換気扇のアダプター構造。
【請求項２】
前記湾曲点は、回転軸から尾部までの１／３距離の位置の上流側に位置することを特徴とする、請求項１に記載の換気扇のアダプター構造。
【請求項３】
前記シャッターの短軸にはリブが形成されるとともに、回転軸の中心線のシャッターにおける投影にはリブが形成されることを特徴とする、請求項１または２に記載の換気扇のアダプター構造。
【請求項４】
金属アダプターの２つの内側に回転軸が一体に形成され、前記シャッターが板体の樹脂からなり、板体の左右縁から垂直的に外表面側に向って、回転軸を係合するための２つの係合部が立設されることを特徴とする、請求項１または２に記載の換気扇のアダプター構造。
【請求項５】
金属アダプターの２つの内側に凹溝を設置し、前記シャッターが板体の樹脂からなり、シャッターの両側に凸柱を一体に設置しており、取り付けるときに、シャッターを少し変形させ、凸柱を凹溝に嵌め込んで回転軸を形成することを特徴とする、請求項１または２に記載の換気扇のアダプター構造。
【請求項６】
前記係合部には、係合部自体を補強するための補強部が設けられることを特徴とする、請求項４に記載の換気扇のアダプター構造。
【発明の詳細な説明】
【技術分野】
【０００１】
本発明はアダプター構造に関し、特に換気扇のアダプター構造に関する。
【背景技術】
【０００２】
従来技術における換気扇は、室外異物が換気扇内に入ることを防止するとともに室外の風が室内に逆流することを防止するために、換気扇風路を開閉するためのシャッターを設置する必要がある。図１は、従来の換気扇のアダプター構造の模式図である。図１に示すように、日本国特開２００１−３３０８８号公報（特許文献１）に開示された換気扇において、この換気扇のアダプター構造１は、風路面積を増大させるために楕円形に設置された金属アダプター２と、前記金属アダプター２内部に取り付けられたシャッター３とを含み、金属アダプター２は、吸込み口４、吹出し口５という２つの部分に分けられる。
【０００３】
図２Ａ、図２Ｂは、別の従来の換気扇のアダプター構造の模式図である。図２Ａおよび図２Ｂに示すように、換気扇のシャッター１０は楕円形の金属アダプター６の形状にフィットして設置され、その水平方向における対称軸が長軸７であり、垂直方向における対称軸が短軸８である。金属シャッター１０は全体的に、平面１７と、縁を折り曲げてなる折縁１２とからなり、前記金属アダプター６の楕円形の吹出し口内壁にはリベット９が設けられる。金属シャッター１０とリベット９とのぶつかりによる騒音を低減するために、リベット９の外部にゴムカバー１１を被せてから、シャッター１０をゴムカバー１１上に取り付ける必要がある。また、アダプター６内には、シャッター１０の最大開位置及び閉位置を制限するためのストッパー１３が設置される。金属シャッターが前記ストッパー１３にぶつかって出した騒音を低下させるために、シャッター１０とストッパー１３とのぶつかり位置にスポンジ１４を設置する必要がある。
【０００４】
金属アダプター６内部には、金属アダプター６の形状にフィットした楕円形の金属シャッター１０が設けられる。円形のシャッターに比べて、楕円形のシャッター１０の回転軸１５の仮想した接続線２０の方は、シャッター１０の水平方向における中央部（即ち長軸７の位置）に近い。よって、シャッター１０の回転軸１５の仮想した接続線２０は、下方の部分が短く、シャッター１０を開ける浮力を受ける面積が小さい。したがって、シャッター１０が、換気扇から送られてきた風によって開く場合、シャッター１０を開ける浮力が不足であるため、シャッター１０のばたつきは大きくなる。
【０００５】
シャッターは開くとき、水平状態を保つことが最も好ましい。
【先行技術文献】
【特許文献】
【０００６】
【特許文献１】特開２００１−３３０８８号公報
【発明の概要】
【発明が解決しようとする課題】
【０００７】
換気扇の運転において、シャッターがばたついて水平状態を保てなければ、シャッターは風が室外へ流出することを阻止し、風路の抵抗力は大きくなる。このような場合、所要の風量を確保するために、送風機の負荷を増大させなければならない。
【０００８】
本発明の目的は、シャッターの開位置における揺れを抑制し、製品性能の安定性を向上させて乱流を防止するアダプター構造を提供することにある。
【課題を解決するための手段】
【０００９】
上記目的を実現するために、本発明は、楕円形の金属アダプターと、金属アダプターの内部に取り付けられ、金属アダプターの形状にフィットした楕円形のシャッターとを含み、前記楕円形のシャッターの縦方向断面の水平方向における対称軸は長軸であり、垂直方向における対称軸は短軸であり、シャッターは回転軸により金属アダプター内において回動し、回転軸の中心線の短軸における投影点と、シャッターの尾部との間には湾曲点が設けられ、前記シャッターが湾曲点から短軸に沿ってシャッターの内表面側に向って湾曲して湾曲部を形成する換気扇のアダプター構造を提供する。
【００１０】
前記湾曲点は、回転軸から尾部までの１／３距離の位置の上流側に位置する。
【００１１】
前記シャッターの短軸にはリブが形成されるとともに、回転軸の中心線のシャッターにおける投影にはリブが形成される。
【００１２】
金属アダプターの２つの内側に回転軸が一体に形成され、前記シャッターが板体の樹脂からなり、板体の左右縁から垂直的に外表面側に向って、回転軸を係合するための２つの係合部が立設される。
【００１３】
金属アダプターの２つの内側に凹溝を設置し、前記シャッターが板体の樹脂からなり、シャッターの両側に凸柱を一体に設置しており、取り付けるときに、シャッターを少し変形させ、凸柱を凹溝に嵌め込んで回転軸を形成する。
【００１４】
前記係合部には、係合部自体を補強するための補強部が設けられる。
【発明の効果】
【００１５】
本発明の利点としては、シャッターを軽く設置し、シャッターを開きやすくし、騒音を低減して風量を確保することができる。また、コストを低減し、マン・アワーを減少し、製品性能を向上させることができる。また、シャッターの開位置における揺れを抑制し、製品性能の安定性を向上させて乱流を防止することができる。
【図面の簡単な説明】
【００１６】
【図１】従来の換気扇のアダプター構造の模式図
【図２Ａ】別の従来の換気扇のアダプター構造の模式図
【図２Ｂ】別の従来の換気扇のアダプター構造の模式図
【図３】本発明の全体構造模式図
【図４】本発明のシャッター側面図
【図５】本発明のシャッター正視模式図
【発明を実施するための形態】
【００１７】
図３は本発明の全体構造模式図である。図４は本発明のシャッター側面図である。図５は本発明のシャッター正視模式図である。
【００１８】
図に示すように、本発明による換気扇のアダプター構造１００は、楕円形の金属アダプター２００と、金属アダプター２００内部に取り付けられ、金属アダプター２００の形状にフィットした楕円形のシャッター３００とを含み、シャッター３００は板体の樹脂からなり、板体の左右縁から垂直的に外表面側に向って、回転軸２３０を係合するための２つの係合部３７０が立設される。シャッター３００は回転軸２３０により金属アダプター２００内に回動する。
【００１９】
本発明の定義では、シャッター３００の閉状態において、金属アダプター２００の吸込み口２１０側に位置する面は内表面３２０であり、金属アダプター２００の吹出し口２２０側に位置する面は外表面３３０であり、シャッター３００の回転軸２３０より上の部分はシャッター３００の上部３４０であり、シャッター３００の回転軸２３０より下の部分はシャッター３００の下部３５０であり、シャッター３００の下部３５０の端部は尾部３６０である。さらに、シャッター３００の縦方向断面の水平方向における対称軸は長軸３７５であり、垂直方向における対称軸は短軸３８０である。
【００２０】
本発明における回転軸２３０がシャッター３００の両側に設けられ、軸体そのものがシャッター３００の中央に存在していないため、両側の回転軸２３０間を延長して結ぶ仮想の線は、回転軸２３０の中心線と定義される。しかしながら、本発明において、回転軸２３０を、シャッター３００両側を貫通する１つの軸として設けてもよい。この回転軸２３０の中心線のシャッター３００における投影が短軸３８０に交差するため、交差点を投影点３８３としてもよい。回転軸２３０の中心線の短軸３８０における投影点３８３と、シャッター３００の尾部３６０との間には、湾曲点３８２が設けられる。前記シャッター３００は湾曲点３８２から、短軸３８０に沿ってシャッター内表面３２０側に向って湾曲して湾曲部３９０を形成する。
【００２１】
換気扇の運転において、風は金属アダプター２００の吸込み口２１０からシャッター３００へ流れ、シャッター３００は開く。風が湾曲点３８２に到達する前、シャッター３００の内表面３２０の下側と外表面３３０の上側において、空気が流れる密度は等しい。シャッター３００が湾曲点３８２から、短軸３８０に沿ってその内表面３２０側に向って湾曲して湾曲部３９０を形成する。そのため、シャッター３００の内表面３２０下側の空気密度は湾曲点３８２から増大し、且つ湾曲部３９０の弧度増大に従って引き続き増大するとともに、シャッター３００の外表面３３０上側の空気密度は湾曲点３８２から減少し、且つ湾曲部３９０の弧度増大に従って引き続き減少する。したがって、シャッター３００の尾部３６０に行くにつれて、空気による浮力は大きくなる。このように、湾曲部３９０の作用によって、シャッター３００は開位置においてより安定になり、シャッター３００の揺れが抑制される。
【００２２】
また、シャッター３００は湾曲部３９０により湾曲点３８２から尾部３６０へ自然に移行することにより、室外へ順調に流れて乱流が発生しないように風を導くことができる。
【００２３】
本実施例において、湾曲点３８２は、回転軸２３０から尾部３６０までの１／３距離の位置の上流側に位置する。これによって、シャッター３００の内表面３２０下側の空気密度は１／３距離の上流側から増加し始める。このように、シャッター３００の内表面３２０は十分に大きい浮力を受け、シャッター３００の開位置における揺れを抑制し、シャッター３００の開度を確保することができる。且つ、シャッターの縁を折り曲げる従来技術に比べて、空気流動はより順調になり、風量を増加させることができる。
【００２４】
本発明のシャッター３００は、全体的に樹脂射出成形によって形成されてもよい。樹脂射出成形によって形成されたため、従来技術のように、ゴムカバーによりシャッターを金属アダプターに固定する必要がなく、シャッター３００の外表面３３０に、シャッター３００に一体成形された係合部３７０を垂直に設置すればよい。係合部３７０には係合孔３７１が設けられ、前記金属アダプター２００の内壁にはリベット２０１が取り付けられる。シャッター３００を取り付けるとき、係合部３７０に弾性変形させて、係合孔３７１を金属アダプター２００の内壁のリベット２０１外にセットすれば、シャッター３００の取付を完成することができる。また、係合部３７０には、係合部３７０自体を補強するための補強部３７２が設けられる。具体的には、シャッター３００が開いて水平状態になる場合、前記補強部３７２は三角形状を呈するとともに、リベット２０１を挟むように２つ設置される。補強部３７２の支持によって、係合部３７０をしっかりとシャッター３００の上面に対して上方垂直に保て、リベット２０１を係合孔３７１に入れてシャッター３００を金属アダプター２００に取り付けることができる。
【００２５】
また、シャッター３００は樹脂射出成形によって形成されたため、金属アダプター２００のストッパー４００とのぶつかりによる騒音が小さく、スポンジを設置する必要がない。したがって、材料を節約したとともに、マン・アワーを減少してコストを低減した。また、樹脂の重量が金属より軽いため、シャッター３００が順調に開くことに役たち、騒音が低減して風量が確保されるようになる。
【００２６】
本発明によるシャッター３００の短軸３８０にはリブ３８１が形成されるとともに、回転軸２３０の中心線のシャッター３００における投影にはリブ２３１が形成される。
【００２７】
シャッター３００は樹脂射出成形によって形成された板体であるため、薄くて軽く設計されることができる。また、短軸３８０に形成されたリブ３８１によって、板体を薄く設置しても、湾曲部３９０を確実に形成することができる。また、回転軸２３０の中心線のシャッター３００における投影に形成されたリブ２３１によって、板体を薄く設置しても、弾性変形後にシャッター３００を取り付けるときの強度を確保することができる。
【００２８】
さらに、シャッターの回転軸２３０を板体の外表面側に設置することによって、楕円形の金属アダプター２００であっても、シャッター３００の開状態におけるシャッター３００の外表面３３０上側を流れる風量を増加させ、内表面下側を流れる風量とのバランスをとることができる。したがって、シャッター３００を水平の開状態に簡単に維持することができる。
【００２９】
本実施例において、回転軸２３０を金属アダプター２００に一体に設置するが、金属アダプター２００の２つの内側に凹溝を設置し、シャッター３００の両側に凸柱を一体に設置して、取り付けるときにシャッター３００を少し変形させ、凸柱を凹溝に嵌め込んで回転軸を形成してもよい。これらはいずれも当業者によく知られる変更である。これら方式によって形成された回転軸も、本発明に記載の回転軸である。
【産業上の利用可能性】
【００３０】
本発明に係る換気扇のアダプター構造は、シャッターを軽く設置し、シャッターを開きやすくし、騒音を低減して風量を確保することができる。また、コストを低減し、マン・アワーを減少し、製品性能を向上させることができる。また、シャッターの開位置における揺れを抑制し、製品性能の安定性を向上させて乱流を防止することができる。従って、換気扇のアダプター構造等として有用である。
【符号の説明】
【００３１】
１００  換気扇のアダプター構造
２００  金属アダプター
２３０  回転軸
３００  楕円形のシャッター
３６０  尾部
３７５  長軸
３８０  短軸
３８２  湾曲点
３８３  投影点
３９０  湾曲部
【図１】
2014137218.tif 000003
【図２Ａ】
2014137218.tif 000004
【図２Ｂ】
2014137218.tif 000005
【図３】
2014137218.tif 000006
【図４】
2014137218.tif 000007
【図５】
2014137218.tif 000008